(57)【要約】【課題】  配光を容易に変更することができる照明器具を提供する。【解決手段】  天井面ＣＥに固定される器具本体１と、発光ダイオード２２に光学的に結合し器具本体１に対して発光ダイオード２２の光の出射方向を変更するように回動可能に連結された導光体３とを備える。器具本体１に対する導光体３の向きを変更することにより、配光を容易に変更することができる。【選択図】図１
2007080539.tif 000002
【特許請求の範囲】
【請求項１】
複数個の光源と、各光源をそれぞれ点灯させる点灯手段と、点灯手段を保持して造営面に固定される器具本体と、透光性を有する材料からなり光源に光学的に結合するとともに器具本体に対して光源の光が出射する方向を変化させるように回動可能に連結された導光体とを備えることを特徴とする照明器具。
【発明の詳細な説明】
【技術分野】
【０００１】
本発明は、照明器具に関するものである。
【背景技術】
【０００２】
従来から、透明な材料からなる導光体を介して光源の光を出力させる照明器具が提供されている（例えば、特許文献１参照）。この種の照明器具によれば、光源の数の割に広い発光面積を得ることができる上に、光源の光を直接、床面等の被照面に照射するものに比べ、柔らかい印象の照明を得ることができる。
【特許文献１】特開平０９−００７４１４号公報
【発明の開示】
【発明が解決しようとする課題】
【０００３】
しかし、上記従来の照明器具では、導光体や光源は定位置に固定されるものであり、配光の変更が困難であった。
【０００４】
本発明は上記事由に鑑みて為されたものであり、その目的は、配光を容易に変更することができる照明器具を提供することにある。
【課題を解決するための手段】
【０００５】
本発明は、複数個の光源と、各光源をそれぞれ点灯させる点灯手段と、点灯手段を保持して造営面に固定される器具本体と、透光性を有する材料からなり光源に光学的に結合するとともに器具本体に対して光源の光が出射する方向を変化させるように回動可能に連結された導光体とを備えることを特徴とする。
【発明の効果】
【０００６】
本発明によれば、導光体を器具本体に体して回動させることにより、配光を容易に変更することができる。
【発明を実施するための最良の形態】
【０００７】
以下、本発明の実施形態について、吊り下げ形の照明器具を例に挙げ、図面を参照しながら説明する。なお、本発明は、吊り下げ形に限らず、例えば造営面としての壁面に取り付けられる照明器具にも適用可能である。
【０００８】
本実施形態は、図１に示すように、造営面としての天井面ＣＥから電線Ｃを介して吊り下げ支持される器具本体１を備える。以下、上下方向は図１を基準として説明する。
【０００９】
器具本体１は下側に開口した凹部１０を有し、凹部１０の底面にはそれぞれ光を下方に照射する複数個の発光ダイオード２１が実装されている。
【００１０】
また、図２に示すように、器具本体１は、上方から見て八角形状に形成されており、それぞれ例えばアクリル樹脂のような透光材料からなり光源としての発光ダイオード２２が光学的に結合した導光体３が、各辺にそれぞれ１個ずつ取り付けられている。各導光体３はそれぞれ台形の平板形状に形成されており、一面に例えば銀めっきからなり光を反射する反射層（図示せず）が設けられることにより、他面側へ発光ダイオード２２の光が出射されるように構成されている。発光ダイオード２２は、例えば導光体３に設けられた凹部（図示せず）内に収納され、透光性を有する接着剤を介して凹部の内面に発光部が接着されることにより、導光体３に光学的に結合している。導光体３において発光ダイオード２２の光が出射する面から見て、発光ダイオード２２の直射光が見えないように、発光ダイオード２２の位置及び向きは選択されている。
【００１１】
また、図３に示すように、導光体３の短辺側の端面には、軸方向が導光体３の短辺に沿った方向の円柱形状の軸受け部３１が突設されている。器具本体１には、各辺の両端からそれぞれ軸方向が辺に沿った方向の円柱形状の軸受け部１１が外側へ突設されている。導光体３の軸受け部３１の各底面と、器具本体１の軸受け部１１の互いに対向する底面との一方には軸突起４が突設され、他方には軸突起４が挿入される軸受け穴（図示せず）が設けられている。そして、導光体３は、発光ダイオード２２の光が出射される面を下側にして、軸受け部３１が器具本体１の互いに同じ辺から突設された２個の軸受け部１１の間に配置された形で、軸突起４が軸受け穴に挿入されることにより、器具本体１から離れた側の端部を上下に変位させるように器具本体１に対して回動可能となっている。
【００１２】
さらに、図４に示すように、器具本体１と導光体３とにおいて、軸突起４及び軸受け穴の周囲には、それぞれ放射状の凹部４１と凸部４２とが器具本体１に対する導光体３の回動軸の全周にわたって交互に設けられている。図４では器具本体１の軸受け部１１についてのみ示しているが、導光体３の軸受け部３１も同様である。
【００１３】
導光体３に力を加え、器具本体１の軸受け部１１を押し広げるように弾性変形させながら導光体３を器具本体１に対して回動させると、一方の凸部４２が他方の凸部４２を乗り越えたときに互いに噛合する凹部４１と凸部４２との組み合わせが変化する。導光体３に加える力を除去した後は、導光体３の器具本体１に対する位置は、互いに噛合する凹部４１と凸部４２との組み合わせに応じた複数段階の位置のいずれかに保持される。
【００１４】
また、器具本体１の上側には、各発光ダイオード２１，２２をそれぞれ点灯させるための電源を生成する点灯回路が実装されたプリント配線板（図示せず）を器体に収納してなる電源ブロック４が取り付けられている。点灯回路の電源は、器具本体１を吊り下げる電線Ｃを介して供給される。また、導光体３に設けられた発光ダイオード２２は、例えば導光体３の上側に配置された柔軟な電線（図示せず）を介して点灯回路に電気的に接続されている。
【００１５】
さらに、器具本体１の下側には、器具本体１に設けられた発光ダイオード２１の光を拡散させる拡散板５が設けられている。拡散板５は、例えばガラスのような透明な材料からなり下面が粗面化されたものである。この拡散板５により、発光ダイオード２１の光点がぼやけるから、拡散板５を設けない場合に比べて見栄えが良くなっている。
【００１６】
上記構成によれば、導光体３の向きを変更することによって容易に配光を変更することができる。
【００１７】
なお、導光体３に光学的に結合される発光ダイオード２２を、導光体３に設ける代わりに器具本体１に設けるとともに、例えばフッ素樹脂のような柔軟な透光材料からなるライトガイド（図示せず）を介して発光ダイオード２２と導光体３とを光学的に結合させてもよい。
【００１８】
また、使用者によって操作される押釦のような操作部並びに操作部に加えられた操作に応じたワイヤレス信号を出力する送信回路を有するリモコン装置（図示せず）を設けるとともに、リモコン装置からのワイヤレス信号を受信する受信回路（図示せず）と、導光体３を回動させる駆動機構（図示せず）と、受信回路に受信されたワイヤレス信号に応じて駆動機構を制御する制御回路（図示せず）とをそれぞれ器具本体１に設け、リモコン装置を用いて配光を変更可能としてもよい。駆動機構は、例えば、導光体３の上面に連結されたワイヤと、制御回路によって制御されてワイヤの巻き取り及び繰り出しを行うことにより導光体３を回動させるサーボモータとで構成することができる。この場合、導光体３の位置は駆動機構によって保持されるので、軸受け部１１，３１の凹部４１や凸部４２は不要となる。上記の各構成は、いずれも周知技術で実現可能であるので図示並びに詳細な説明は省略する。
【図面の簡単な説明】
【００１９】
【図１】本発明の実施形態の概略を示す説明図である。
【図２】同上の器具本体並びに導光体を示す平面図である。
【図３】同上の要部を示す正面図である。
【図４】同上の別の要部を示す断面図である。
【符号の説明】
【００２０】
１  器具本体
３  導光体
２１，２２  発光ダイオード
【図１】
2007080539.tif 000003
【図２】
2007080539.tif 000004
【図３】
2007080539.tif 000005
【図４】
2007080539.tif 000006